(57)【要約】【課題】簡単な構造で陶器製の手洗器を壁に取付固定することのできる壁付手洗器の取付構造を提供する。【解決手段】剛性のフレーム１１６を壁Ｗに取付固定して、フレーム１１６の上に陶器製の手洗器１２を載せ、フレーム１１６にてこれを支持させるようにする。【選択図】        図７
2007215874.tif 000002
【特許請求の範囲】
【請求項１】
剛性のフレームを壁に取付固定して、該フレームの上に陶器製の手洗器を載せて該フレームにて支持させるようになしたことを特徴とする壁付手洗器の取付構造。
【請求項２】
請求項１において、排水トラップと前記フレームとを内側に隠蔽するカバーを、該フレームの左，右の下部の前後方向に延びるレールと前記手洗器とで上下に挟み込むようになしたことを特徴とする壁付手洗器の取付構造。
【請求項３】
請求項２において、前記手洗器は左，右端部が前記フレームの左，右端部よりも左，右方向に突き出しており、それら左，右の突出し部の下面と前記フレームのレールとにより前記カバーの左，右部を上下に挟み込むようになしたことを特徴とする壁付手洗器の取付構造。
【請求項４】
請求項１〜３の何れかにおいて、前記カバーと前記フレームとの一方には、該カバーを取り付けるに際し磁着力で該カバーを仮固定するマグネットが、また他方には対応する磁性材又はマグネットが設けてあることを特徴とする壁付手洗器の取付構造。
【請求項５】
壁付手洗器の取付構造であって、手洗器を剛性のフレームを介して壁に取付固定するようになすとともに、排水トラップ及び該フレームを内側に隠蔽するカバーを周方向において複数の分割体に分割し、各分割体の上部に掛止部を設けて該掛止部を前記フレームの対応する部位に設けた被掛止部に掛止させることで各分割体の上部を該フレームに固定するとともに、各分割体の下部を止め具にて該フレームに固定するようになしたことを特徴とする壁付手洗器の取付構造。
【請求項６】
請求項１〜５の何れかにおいて、前記手洗器が石鹸液の吐出装置，手洗水の吐水装置，乾燥用の温風吹出装置を備えた自動手洗乾燥装置における手洗器であり、前記カバーが該手洗器の下側の機能部を内側に隠蔽するカバーであることを特徴とする壁付手洗器の取付構造。
【発明の詳細な説明】
【技術分野】
【０００１】
この発明は壁付手洗器の取付構造に関する。
【背景技術】
【０００２】
従来、石鹸液の吐出装置と、手洗水の吐水装置と、乾燥用の温風吹出装置とを備え、石鹸液の吐出口から手洗器に向けて石鹸液を吐出し、また吐水口から手洗水を手洗器に向けて吐水し、また乾燥用の温風を手洗器に向けて吹き出すようになした自動手洗乾燥装置が公知である。
例えば下記特許文献１にこの種の自動手洗乾燥装置が開示されている。
【０００３】
ところで従来の自動手洗乾燥装置は、全体の重量を床で支持する床置式のものであり、これに対してこれを壁付式とした場合、自動手洗乾燥装置と床との間に、即ち使用者が使用する際の足元に空間を形成でき、足元がすっきりとして清掃性が良くなり、また装置を使用するに際して足先が装置に当ることがなく使い勝手が良好であるといった利点が得られる。
しかしながらこの種壁付式の自動手洗乾燥装置については従来提供されておらず、その取付構造が問題となる。
【０００４】
尚、以上は自動手洗乾燥装置についての問題であるが、この種自動手洗乾燥装置のみならず、手洗器を単独で壁付式に取り付ける場合においても問題は同様である。
【０００５】
【特許文献１】特許第２６５６２８９号公報
【発明の開示】
【発明が解決しようとする課題】
【０００６】
本発明はこのような事情を背景とし、簡単な構造で陶器製の手洗器を壁に取付固定することのできる壁付手洗器の取付構造を提供することを目的としてなされたものである。
【課題を解決するための手段】
【０００７】
而して請求項１のものは、剛性のフレームを壁に取付固定して、該フレームの上に陶器製の手洗器を載せて該フレームにて支持させるようになしたことを特徴とする。
【０００８】
請求項２のものは、請求項１において、排水トラップと前記フレームとを内側に隠蔽するカバーを、該フレームの左，右の下部の前後方向に延びるレールと前記手洗器とで上下に挟み込むようになしたことを特徴とする。
【０００９】
請求項３のものは、請求項２において、前記手洗器は左，右端部が前記フレームの左，右端部よりも左，右方向に突き出しており、それら左，右の突出し部の下面と前記フレームのレールとにより前記カバーの左，右部を上下に挟み込むようになしたことを特徴とする。
【００１０】
請求項４のものは、請求項１〜３の何れかにおいて、前記カバーと前記フレームとの一方には、該カバーを取り付けるに際し磁着力で該カバーを仮固定するマグネットが、また他方には対応する磁性材又はマグネットが設けてあることを特徴とする。
【００１１】
請求項５のものは、壁付手洗器の取付構造であって、手洗器を剛性のフレームを介して壁に取付固定するようになすとともに、排水トラップ及び該フレームを内側に隠蔽するカバーを周方向において複数の分割体に分割し、各分割体の上部に掛止部を設けて該掛止部を前記フレームの対応する部位に設けた被掛止部に掛止させることで各分割体の上部を該フレームに固定するとともに、各分割体の下部を止め具にて該フレームに固定するようになしたことを特徴とする。
【００１２】
請求項６のものは、請求項１〜５の何れかにおいて、前記手洗器が石鹸液の吐出装置，手洗水の吐水装置，乾燥用の温風吹出装置を備えた自動手洗乾燥装置における手洗器であり、前記カバーが該手洗器の下側の機能部を内側に隠蔽するカバーであることを特徴とする。
【発明の作用・効果】
【００１３】
上記のように請求項１のものは、剛性のフレームを壁に取付固定して、そのフレームの上に陶器製の手洗器を載せ、これをフレームにて支持させる状態に手洗器を壁に取付固定するようになしたもので、この請求項１によれば、簡単な構造で且つしっかりと陶器製の手洗器を壁に取り付けることができる。
また陶器製の重い手洗器は、剛性のフレームにて下側から支持されるため、これを安定して支持することができる。
ここでフレームは金属製となしておくことができる。
【００１４】
次に請求項２は、手洗器の排水口から延び出した排水管の排水トラップと上記フレームとを内側に隠蔽するカバーを、フレームの左，右且つ下部のレールと手洗器とで上下に挟み込むようになしたもので、この請求項２の取付構造によれば、それら手洗器とフレームのレールとがカバー取付けの向きや姿勢を規制する働きをなし、これによりカバーを予め定めた正しい取付姿勢で且つ容易に取り付けることができる。
またカバーを前方から奥側に押し込むようにして取り付ける場合、フレームの下部のレールによる案内作用で容易にこれを行うことができる。
【００１５】
この場合において手洗器を左，右端部がフレームの左，右端部よりも左，右方向に突き出した形態となしておき、それら左，右の突出し部の下面とフレームのレールとによりカバーの左，右部を上下に挟み込むようになしておくことができる（請求項３）。
この場合、フレームのレールによるカバーの下部の案内作用に加えて、手洗器によるカバーの上部の案内作用も行わせることができ、カバーを前方から奥側に押し込んで取り付ける際の取付性が更に良好となる。
【００１６】
この場合において、カバーとフレームとの各対応する位置に、カバーを取り付けるに際し磁着力でカバーを仮固定するマグネットを一方に、また他方には対応する磁性材又はマグネットを設けておくことができる（請求項４）。
このようにしておけば、カバーを所定の止め具にてフレームに固定するに際し、カバーが磁着力で仮固定状態に保持されているため、止め具による止付けを作業性良く簡単に行うことができる。
ここでマグネット又は磁性材は、それぞれカバーの前面部とフレームの対応する前面部とに設けておくのが好適である。
【００１７】
次に請求項５はカバーを周方向において複数の分割体に分割し、そして各分割体の上部に掛止部を設けて、その掛止部をフレームの対応する部位に設けた被掛止部に掛止させることで各分割体の上部をフレームに固定するとともに、各分割体の下部を止め具にてフレームに固定するようになしたもので、この取付構造の場合、簡単にカバーの各分割体をフレームに固定することができるとともに、内部のメンテナンス作業が必要となった場合、何れかの分割体だけを外すことで、簡単に内部のメンテナンス作業を行うことができる。
【００１８】
ここでカバーは前面部と左，右の側面部との境界部の２箇所で３つの分割体に分割することができ、或いは左，右の側面部の所定箇所の２箇所で３つの分割体に分割しておくことができる。
この場合、前面部の分割体を外すだけで作業性良く内部のメンテナンス作業を行うことができる。
【００１９】
本発明は、手洗器を単独で壁に取付固定する場合に適用できることは勿論、自動手洗乾燥装置に適用して効果の大なるものである（請求項６）。
【発明を実施するための最良の形態】
【００２０】
次に本発明を自動手洗乾燥装置に適用した場合の実施形態を図面に基づいて詳しく説明する。
図１において、１０は自動手洗乾燥装置（ここでは壁掛式）で、陶器製の手洗器１２と、その下側のカバー１４及び手洗器１２に装着された機能部ユニット１６とを有している。
機能部ユニット１６はケース１８を有しており、各種機能部がそこに内蔵されている。
ここでケース１８は、下部のケース本体１８Ａとその上端の開口を閉鎖する蓋体１８Ｂとを有している。
【００２１】
手洗器１２の後部には、図２及び図３に示しているようにその後端縁に沿って立上る後壁部２４と、左右一対の側壁部２６とで囲まれた収容凹部２８が形成されており、図２にも示しているようにその収容凹部２８に上記の機能部ユニット１６が収容されている。
機能部ユニット１６は、その後面と側面とがそれぞれ後壁部２４と左右一対の側壁部２６とで囲われており、その前面が手洗器１２のボウル部３２に向けて開放されている。
ここで収容凹部２８の底面は、機能部ユニット１６を支持する平坦な支持面３０とされている。
尚図２において、３４はボウル部３２に設けられた排水口である。
【００２２】
図１に示しているように、自動手洗乾燥装置１０は温風吹出口３６，手洗水の吐水口３８及び石鹸液の吐出口４０を備えており、それらが機能部ユニット１６におけるケース１８の前面に備えられている。
このケース１８の前面にはまた、それぞれに対応して人体検知センサ４２，４４，４６が設けられている。
【００２３】
この自動手洗乾燥装置１０では、石鹸液の吐出口４０の前方に手を差し出すと、人体検知センサ４６がこれを検知して吐出口４０から自動的にムース状の石鹸液（水石鹸）を吐出する。
また吐水口３８の前方に手を差し出すと、人体検知センサ４４がこれを検知して吐水口３８から自動的に温水を吐水する。
更に温風吹出口３６の前方に手を差し出すと、人体検知センサ４２がこれを検知して温風吹出口３６から自動的に温風を吹き出す。
【００２４】
尚、図１中石鹸液の吐出口４０の図中左側の隣接位置には、石鹸液補給用の引出し４８が出入れ可能に設けられている。
石鹸液の補給は、この引出し４８を引き出した状態で上方からその内部に石鹸液を供給することにより行う。
【００２５】
図１に示しているように、カバー１４の内側には排水管５０が設けられており、その上端がボウル部３２の排水口３４に接続されている。
ボウル部３２からの排水は、この排水管５０の排水トラップ５２を経て外部に排出される。
【００２６】
カバー１４の内側にはまた、湯水の混合部５４と、温水の供給遮断を行う電磁弁５６とが設けられており、その混合部５４に対し冷水及び湯をそれぞれ供給する配管が接続されている。
混合部５４に供給された冷水と湯とはここで所定比率に混合されて適温の混合水とされ、電磁弁５６の開弁により給水管５８を通じて吐水口３８へと送られ、そこからボウル部３２に向けて吐水される。
【００２７】
一方カバー１４の内側且つ下部には石鹸液タンク６０が設けられており、そこに所定量の石鹸液が貯溜されるようになっている。
この石鹸液タンク６０からは給液管６２が延び出しており、その給液管６２上に石鹸液ポンプ６４が設けられている。
石鹸液タンク６０内の石鹸液は、この石鹸液ポンプ６４により給液管６２を通じて上記の石鹸液の吐出口４０へと送られる。
また石鹸液タンク６０内の石鹸液の液量が少なくなったときには、上記の引出し４８を通じて石鹸液が補給され、補給された石鹸液が補給管６６を通じて石鹸液タンク６０内に流入する。
【００２８】
７０はエアポンプで、このエアポンプ７０によりエアが給気管６８を通じて上記石鹸液の吐出口４０に向けて送られる。
【００２９】
カバー１４の内側且つ下部にはまた、上記温風吹出口３６を含む温風乾燥装置の乾燥機本体７２が設けられており、この乾燥機本体７２と上記の温風吹出口３６とが、送風管７４で連絡されている。
乾燥機本体７２には送風機及び空気加熱用のヒータとが内蔵されており、吸気口７５を通じて吸入された空気がヒータで温風とされて、送風機により送風管７４を通じて温風吹出口３６へと送り出される。
【００３０】
本実施形態では、石鹸液タンク６０から石鹸液ポンプ６４にて供給されてきた石鹸液と、エアポンプ７０にて供給されてきたエアとが互いに混合せしめられてムース状化され、吐出口４０から手洗器１２のボウル部３２に向けて吐出される。
【００３１】
図３において、１１４は商用電源を電圧変換して自動手洗乾燥装置１０における各種電気部品に電源供給するトランスで、１１０は各種電気部品の動作制御を行う制御部である。
これらトランス１１４及び制御部１１０は、蓋体１８Ｂに吊持される状態でケース１８内部に収容されている。
【００３２】
ここで制御部１１０は、人体検知センサ４２，４４，４６による人体検知に基づいて、乾燥機本体７２内部の送風機及びヒータ（電気ヒータ），更にカバー１４内部の電磁弁５６，石鹸液の供給を行う石鹸液ポンプ６４，エアの供給を行うエアポンプ７０等を作動制御する。
本実施形態では石鹸液タンク６０，石鹸液ポンプ６４，エアポンプ７０，給液管６２，給気管６８，図２に示すノズル装置，人体検知センサ４６及び制御部１１０，トランス１１４，ケース１８等にて石鹸液の吐出装置が構成されている。
【００３３】
また混合部５４，電磁弁５６，吐水口３８，人体検知センサ４４，制御部１１０，トランス１１４，ケース１８等にて手洗水の吐水装置が構成されている。
更に乾燥機本体７２，送風管７４，温風吹出口３６，人体検知センサ４２，制御部１１０，トランス１１４及びケース１８等にて温風乾燥装置が構成されている。
【００３４】
本実施形態では、手洗器１２及び機能部ユニット１６が、図４に示す金属製の剛性のフレーム１１６を介して壁Ｗに取り付けられ、手洗器１２及び機能部ユニット１６が、フレーム１１６にて下側から荷重支持されている。
また上記カバー１４は、このフレーム１１６に取付固定されている。
ここでカバー１４は金属若しくは樹脂の薄板から成っており、平面形状がコ字形状をなしている。
【００３５】
カバー１４は、自動手洗乾燥装置１０における手洗器１２の下側の機能部を排水管５０の排水トラップ５２及びフレーム１１６とともに内側に隠蔽するもので、左，右の側面カバー部（側面部）１４Ｌ，１４Ｒ及び前面カバー部（前面部）１４Ｆを有しており、それらが一体に構成されている。
このカバー１４における側面カバー部１４Ｌ，１４Ｒの内側には、その下端近傍位置且つ後端（図中右端）近傍位置にＬ字状をなす金属製の被支持具１１８が取り付けられている。
また前面カバー部１４Ｆの内側且つ上端近傍位置には、マグネット１２０が取り付けられている。
【００３６】
一方フレーム１１６の左，右の下端部には前後方向に延びるレール１２２が設けられており、また前面の上端部には磁性材から成る金属製のプレート１２４が、マグネット１２０に対応する位置に設けられている。
尚フレーム１１６及びカバー１４の各前面部は、図５に示しているように下向き且つ後方（奥側）に傾斜した形状をなしている。
【００３７】
図１に示しているように、本実施形態において手洗器１２は左，右寸法がフレーム１１６及びカバー１４の上端の左，右寸法よりも大きく、左，右端部１２Ｌ，１２Ｒ（図１参照）がそれぞれフレーム１１６及びカバー１４よりも左，右方向に突出している。
【００３８】
次に本実形態の取付構造を取付けの手順とともに図５〜図７に基づいて具体的に説明する。
図５に示しているように、本実施形態では先ずフレーム１１６を壁Ｗに固定具としてのビス１２６にて床Ｆから浮き上がった位置に固定する。
即ち床Ｆとの間に空間Ｋを形成する状態にフレーム１１６を壁Ｗに固定する。
その後図６に示しているように予め機能部ユニット１６を組んである手洗器１２をフレーム１１６の上に載せて、フレーム１１６により下側から荷重を支持させる。
その後図７に示しているようにフレーム１１６に対してカバー１４の取付けを行う。
【００３９】
このカバー１４の取付けは次のようにして行う。
即ち、図４に示すカバー１４の一対の側面カバー部１４Ｒ，１４Ｌの奥側の端を広げるようにして、被支持具１１８をフレーム１１６のレール１２２の上に載せ、図７に示すようにその状態でカバー１４を奥側に押し込む。
このときカバー１４は、被支持具１１８に対するレール１２２の支持及び案内作用により、更にはまた手洗器１２の左，右端部１２Ｌ，１２Ｒの下面によるカバー１４の上端、詳しくは側面カバー部１４Ｌ，１４Ｒの上端に対する案内作用により、スムーズに奥側に押込作業することができる。
そしてカバー１４をほぼ最終位置まで押し込んだ時点で、カバー１４に設けてあるマグネット１２０がフレーム１１６側の磁性材から成るプレート１２４に磁着して、カバー１４がフレーム１１６に仮固定される。
その後カバー１４をフレーム１１６に対してビス等のねじ式の止め具にて固定することで、カバー１４の固定作業が完了する。
【００４０】
本実施形態によれば、簡単な構造で且つしっかりと陶器製の手洗器１２を壁Ｗに取り付けることができ、また陶器製の重い手洗器１２は剛性のフレーム１１６にて下側から支持されるため、これを安定して支持することができる。
【００４１】
またカバー１４を、フレーム１１６の下部のレール１２２と手洗器１２とで上下に挟み込むように取り付けているので、それら手洗器１２とフレーム１１６のレール１２２とが、カバー１４の取付けの向きや姿勢を規制する働きをなし、これによりカバー１４を予め定めた正しい取付姿勢で且つ容易に取り付けることができる。
またカバー１４を前方から奥側に押し込むようにして取り付ける際、フレーム１４の下部のレール１２２及び手洗器１２による案内作用で容易に押込作業することができる。
【００４２】
またカバー１４とフレーム１１６との各対応する位置には、それぞれマグネット１２０及び磁性材から成るプレート１２４が設けてあるため、カバー１４を所定の止め具にてフレーム１１６に固定するに際し、カバー１４がマグネット１２０及びプレート１２４の磁着力で仮固定状態に保持されているため、止め具による止付けを作業性良く簡単に行うことができる。
【００４３】
次に図８〜図１３は本発明の他の実施形態を示している。
図８に示しているようにこの実施形態では、カバー１４を３つの分割体１４-１，１４-２，１４-３に３分割している。
ここでカバー１４は左，右の側面カバー部１４Ｌ，１４Ｒの途中箇所の２箇所で分割されており、分割体１４-１は前面カバー部１４Ｆと側面カバー部１４Ｌ，１４Ｒの一部から成っており、また分割体１４-２，１４-３は側面カバー部１４Ｌ，１４Ｒの主要部から成っている。
図８，図９及び図１０に詳しく示しているように、各分割体１４-１，１４-２，１４-３の内側の上端部には、それぞれ金具から成るフック形状の掛止部１２８が設けられている。
また下端部はそれぞれ内側への折曲部１３０とされている。
【００４４】
図１１〜図１３に基づいてこの実施形態の取付構造を取付手順とともに説明する。
この実施形態では、上記実施形態と同様に先ずフレーム１１６を壁Ｗに固定し、更に図１１に示しているようにフレーム１１６の上に予め機能部ユニット１６を組んだ手洗器１２を載せて、これをフレーム１１６にて支持させておく。
その後カバー１４における各分割体１４-１，１４-２，１４-３をそれぞれ単独でフレーム１１６に対して組み付ける。
その組付けは次のようにして行う。
【００４５】
即ち、図１２に示しているように分割体１４-１，１４-２，１４-３（図１２では代表として分割体１４-３を示している）の掛止部１２８を、フレーム１１６の掛止孔（被掛止部）１３２に下側から上側に嵌めるようにして掛止させる。
尚掛止孔１３２は、フレーム１１６に設けられた板片１３４（図１１参照）に形成されている。
このように掛止部１２８を掛止孔１３２に掛止させることで、分割体１４-３の上端部がフレーム１１６に固定される。
その後分割体１４-３の下端部の折曲部１３０を、フレーム１１６に対し、ビス１３６にて固定することで、分割体１４-３をフレーム１１６に固定することができる。
【００４６】
尚フレーム１１６側には予め雌ねじ孔１３８が設けられており、ビス１３６は雌ねじ孔１３８に図中下側からねじ込まれ、分割体１４-３の折曲部１３０をフレーム１１６に固定する。
尚他の分割体１４-２，１４-１についてもその取付方法及び取付構造は同じである。
【００４７】
この実施形態によれば、簡単にカバー１４の各分割体１４-１，１４-２，１４-３をフレーム１１６に固定することができるとともに、内部のメンテナンス作業が必要となった場合、何れかの分割体だけ、例えば前面部の分割体１４-１だけを外すことで、簡単に内部のメンテナンス作業を行うことができる。
【００４８】
以上本発明の実施形態を詳述したがこれらはあくまで一例示であり、本発明は単独の手洗器を壁に取付固定するに際して適用することも可能であるなど、本発明はその趣旨を逸脱しない範囲において種々変更を加えた形態で構成可能である。
【図面の簡単な説明】
【００４９】
【図１】本発明の一実施形態の壁付手洗器を示す全体図である。
【図２】図１の手洗器周辺を拡大して示す側断面図である。
【図３】図１の機能部ユニット周辺を拡大して示す正面図である。
【図４】同実施形態の手洗器の取付けに用いるフレーム及びカバーを示す図である。
【図５】本発明の壁付手洗器の取付構造を取付手順とともに示す図である。
【図６】図５に続く取付手順を示す図である。
【図７】図６に続く取付手順を示す図である。
【図８】本発明の他の実施形態を示す図である。
【図９】図８に示すカバーの分割体を単体で示す図である。
【図１０】図９に示す分割体とは別の分割体を単体で示す図である。
【図１１】図８のカバーを用いた壁付手洗器の取付構造を取付手順とともに示す図である。
【図１２】図１１に続く取付手順を示す図である。
【図１３】図１２に続く取付手順を示す図である。
【符号の説明】
【００５０】
１０  自動手洗乾燥装置
１２  手洗器
１２Ｌ  左端部
１２Ｒ  右端部
１４  カバー
１４-１，１４-２，１４-３  分割体
５２  排水トラップ
１１６  フレーム
１２０  マグネット
１２２  レール
１２４  プレート（磁性材）
１２８  掛止部
１３２  掛止孔（被掛止部）
１３６  ビス（止め具）
Ｗ  壁
【図１】
2007215874.tif 000003
【図２】
2007215874.tif 000004
【図３】
2007215874.tif 000005
【図４】
2007215874.tif 000006
【図５】
2007215874.tif 000007
【図６】
2007215874.tif 000008
【図７】
2007215874.tif 000009
【図８】
2007215874.tif 000010
【図９】
2007215874.tif 000011
【図１０】
2007215874.tif 000012
【図１１】
2007215874.tif 000013
【図１２】
2007215874.tif 000014
【図１３】
2007215874.tif 000015